(57)【要約】    【課題】  簡単な機構でコスト面でも有利な電子カメラを提供する。    【解決手段】  レリーズボタン４が押圧されると、ミラーアップレバー３２４およびシャッターチャージレバー３４１は、ミラーアップバネ３３１の付勢力によって右旋される。このとき、ミラー駆動端３２４ａがミラー駆動ピン３２１ｂを押し上げてメインミラー３２１をミラーアップさせる。また、シャッタ駆動端３４１ａが開閉レバー４２０のシャッタ駆動ボス４２１と当接して上方に押圧し、シャッタ羽根４６０を下方に引き下げる。リセット動作では、ミラーアップレバー３２４の左旋開始に先行してコンビネーションマグネット３５０の可動鉄心３５３が釈放されて、シャッターチャージレバー３４１が左旋可能となる。これにより、開閉レバー戻しバネ４０１の付勢力によって開閉レバー４２０が右旋されるので、シャッタ羽根４６０は引き上げられて開口４１１，４９１を遮蔽する。【選択図】      図２
2006208704.tif 000002
【特許請求の範囲】
【請求項１】
撮影光路中にあってファインダーに被写体像を導くダウン姿勢と、撮影光路から退避して撮像素子に被写体像を導くアップ姿勢との２姿勢の間で駆動されるミラーと、
前記撮像素子を遮光する閉状態と前記撮像素子に被写体像を導く開状態との間で開閉動作を行う一組のシャッタ羽根と、
ミラーアップおよびミラーダウンの開始信号が入力されると前記ミラーを駆動するための駆動力を出力する駆動源と、
前記駆動源の駆動力を前記ミラーに伝達するミラー駆動機構と、
前記ミラー駆動機構によるミラーアップの駆動力である第１の駆動力で前記シャッタ羽根を開動作させるとともに、前記第１の駆動力とは異なる第２の駆動力で前記シャッタ羽根を閉動作させるシャッタ駆動機構と、
起動信号が入力されると前記第２の駆動力による前記シャッタ羽根の閉動作を前記ミラーのミラーダウン動作の開始に先立って開始させる起動機構とを備えることを特徴とする電子カメラ。
【請求項２】
請求項１に記載の電子カメラにおいて、
前記第２の駆動力は、前記第１の駆動力によってチャージされることを特徴とする電子カメラ。
【請求項３】
請求項１または請求項２に記載の電子カメラにおいて、
前記ミラーダウンの開始信号と、前記起動信号とが同時に出力されると、前記ミラー駆動機構が前記ミラーをミラーダウンさせる前に、前記起動機構が前記シャッタ羽根の閉動作を開始させることを特徴とする電子カメラ。
【請求項４】
請求項３に記載の電子カメラにおいて、
前記起動機構は、永久磁石と電磁コイルからなるコンビネーションマグネットを有することを特徴とする電子カメラ。
【発明の詳細な説明】
【技術分野】
【０００１】
本発明は、固体撮像素子に被写体像を結像させて画像信号を得る電子カメラ、特に固体撮像素子としてＣＣＤ等の電荷蓄積素子を用い、電荷蓄積後に撮像素子への光を遮光するようにした電子カメラのミラー駆動機構およびシャッタ機構の技術に関する。
【背景技術】
【０００２】
個体撮像素子としてＣＣＤを有し、ＣＣＤで蓄積された画像情報としての電荷を読出して記録媒体に記録する電子カメラが知られている。ＣＣＤのうち特にフレームトランスファー型ＣＣＤやインターラインの２フィールド読出し型のＣＣＤを用いた電子カメラでは、電荷の読出しは光を遮断した状態で行う必要がある。また、その他のＣＣＤでもスミア（ＣＣＤ画素からあふれた電荷が転送部に流れ込み、画面の上下方向に光が筋を引くように現れる現象）を積極的に防止して高画質化を追求するには、同様にＣＣＤへの光を遮断して読出しを行う必要がある。そのため、電子カメラに一組のシャッタ羽根を開閉動作するシャッタ機構を設けて、電荷蓄積開始までは撮像素子を遮光し、電荷蓄積中は撮影開口を開放し、電荷蓄積終了後は再び撮像素子を遮光している（特許文献１参照）。
【０００３】
【特許文献１】特開平１１−１２２５４２号公報
【発明の開示】
【発明が解決しようとする課題】
【０００４】
この電子カメラにおいて、従来から知られているフォーカルプレーンシャッタ装置を流用する場合、シャッタ羽根を駆動するための複数のレバー類やバネを有している。撮影開始前には、これらのレバー類はバネの付勢力に抗して初期位置で係止されている。撮影が開始されると、係止が順次解除されてシャッタが開かれる。電荷蓄積終了後にはレバー類が初期位置に復帰されて、シャッタが閉じられる。このため、従来の電子カメラでは、複数のレバー類やバネ、これらを駆動する駆動カム等の部品が必要となるので、部品点数が多くなり、コスト面やスペースの面で不利である。
【課題を解決するための手段】
【０００５】
（１）  請求項１の発明による電子カメラは、撮影光路中にあってファインダーに被写体像を導くダウン姿勢と、撮影光路から退避して撮像素子に被写体像を導くアップ姿勢との２姿勢の間で駆動されるミラーと、撮像素子を遮光する閉状態と撮像素子に被写体像を導く開状態との間で開閉動作を行う一組のシャッタ羽根と、ミラーアップおよびミラーダウンの開始信号が入力されるとミラーを駆動するための駆動力を出力する駆動源と、駆動源の駆動力をミラーに伝達するミラー駆動機構と、ミラー駆動機構によるミラーアップの駆動力である第１の駆動力でシャッタ羽根を開動作させるとともに、第１の駆動力とは異なる第２の駆動力でシャッタ羽根を閉動作させるシャッタ駆動機構と、起動信号が入力されると第２の駆動力によるシャッタ羽根の閉動作をミラーのミラーダウン動作の開始に先立って開始させる起動機構とを備えることを特徴とする。
（２）  請求項２の発明は、請求項１に記載の電子カメラにおいて、第２の駆動力は、第１の駆動力によってチャージされることを特徴とする。
（３）  請求項３の発明は、請求項１または請求項２に記載の電子カメラにおいて、ミラーダウンの開始信号と、起動信号とが同時に出力されると、ミラー駆動機構がミラーをミラーダウンさせる前に、起動機構がシャッタ羽根の閉動作を開始させることを特徴とする。
（４）  請求項４の発明は、請求項３に記載の電子カメラにおいて、起動機構は、永久磁石と電磁コイルからなるコンビネーションマグネットを有することを特徴とする。
【発明の効果】
【０００６】
本発明によれば、ミラー駆動機構によるミラーアップの駆動力である第１の駆動力でシャッタ羽根を開動作させるとともに、第１の駆動力とは異なる第２の駆動力でシャッタ羽根を閉動作させるシャッタ駆動機構と、第２の駆動力によるシャッタ羽根の閉動作をミラーのミラーダウン動作の開始に先立って開始させる起動機構とを備えるように構成した。これにより、シャッタ駆動のためのアクチュエータや複雑な駆動機構を用いることなくシャッタ羽根を駆動できるので、シャッタ羽根の駆動に要する部品を大幅に削減でき、コストおよび小型化の際のスペースの面で優れ、電荷蓄積終了後は撮像素子を直ちに遮光できる電子カメラを実現できる。
【発明を実施するための最良の形態】
【０００７】
−−−全体構成−−−
図１〜１１を参照して、本発明による電子カメラの一実施の形態を説明する。図１は、本発明による電子カメラである一眼レフタイプのカメラボディ１とカメラボディ１に装着する撮影レンズ２を示した斜視図である。カメラボディ１にはレリーズボタン４と、撮像素子であるＣＣＤ５と、カメラボディ１の各部を制御する制御回路１０１とが設けられている。３０１は、撮影レンズ２からの被写体像をＣＣＤ５に導くための撮影光路である。本実施の形態の電子カメラでは、制御回路１０１からの制御信号によってＣＣＤ５の電荷の蓄積時間を制御する、いわゆる電子シャッタと呼ばれるもので露出時間を制御する。カメラボディ１に撮影レンズ２を装着すると、レンズ側絞りレバー３とカメラ側の絞りレバー３２３の当接部３２３ａとが当接する。レンズ側絞りレバー３は、カメラ側の絞りレバー３２３により駆動されて所定の絞り値に制御される。なお、本実施の形態では、撮影レンズ２が取り付けられるカメラボディ１の前方を正面と呼び、ＣＣＤ５が設けられるカメラボディ１の後方を背面と呼ぶ。
【０００８】
−−−ミラーボックス３００−−−
図２および図３は、カメラボディ１に組み込まれるミラーボックスと、絞り機構と、シャッタ機構とを示す斜視図である。また、図４〜６はミラーボックスおよびシャッタ機構を側面から見た図であり、図４は、撮影開始前の状態を示す図であり、図５は、レリーズ後の状態を示す図であり、図６は、レリーズ後にリセット動作を開始した直後の状態を示す図である。ミラーボックス３００の内部にはメインミラー３２１が設けられている（図２，３）。ミラーボックス３００の側面には軸３２６が設けられ、絞り連動レバー３２３と、ミラーアップレバー３２４と、絞り駆動レバー３２５と、シャッターチャージレバー３４１とが、その軸３２６に回動可能に取り付けられている。さらにミラーボックス３００には、後述する絞り制御機構２００とシャッタ機構４００とが取り付けられる。
【０００９】
メインミラー３２１は、撮影光路中３０１にあって不図示のファインダーに被写体像を導くダウン姿勢と、撮影光路３０１から退避してＣＣＤ５に被写体像を導くアップ姿勢との２姿勢の間で駆動される。メインミラー３２１は、ミラー支軸３２１ａを介してミラーボックス３００に回動可能に支持され、ミラーダウンバネ３２２により、図示時計方向の付勢力を受け、ダウン姿勢である略４５度の傾斜位置（ミラーダウン位置）に不図示のミラー受けで保持される。メインミラー３２１と一体に設けられたミラー駆動ピン３２１ｂは、後述するミラーアップレバー３２４で駆動されることにより、メインミラー３２１をミラーダウン位置からアップ姿勢（ミラーアップ位置）まで反時計方向に跳ね上げる。ミラーダウンバネ３２２は、一端がミラーアップレバー３２４に係止され、他端がメインミラー３２１のミラー駆動ピン３２１ｂに係止されて、上述のように、メインミラー３２１に図示時計方向の付勢力を与える。
【００１０】
絞り連動レバー３２３は、カメラボディに取り付けられた撮影レンズ２の絞りレバー３を当接部３２３ａで駆動して、撮影レンズ２の絞りを所定の絞り値に制御するレバーであり、バネ３２７によって図示時計方向に付勢されている。絞り連動レバー３２３は、撮影開始前のミラーダウン状態ではレバー当接部３２３ｂが絞り駆動レバー３２５のレバー当接部３２５ａと当接することで、図示時計方向への旋回（右旋）が規制されて、撮影レンズ２の絞りを開放状態とする角度位置に保持される。また、ミラーアップ過程の絞り制御時には、絞り連動レバー３２３は、レバー当接部３２３ｃが後述する絞り機構２００の伝達レバーに当接することで、撮影レンズ２の絞りを所定の絞り値とする角度位置に保持される。
【００１１】
絞り駆動レバー３２５は、絞り連動レバー３２３を駆動するレバーであり、絞り連動レバー３２３とバネ３２７で結合されるとともに、ミラーボックス３００とバネ３２８で結合されている。後述するシーケンス駆動レバー２１８の先端部２１８ｂが図４において左方向に駆動されると、絞り駆動レバー３２５は、シーケンス駆動レバー２１８の先端部２１８ｂによって図示時計方向に旋回されて、バネ３２７を介して絞り連動レバー３２３を絞り込み方向（図示時計方向）に駆動する。また、シーケンス駆動レバー２１８の先端部２１８ｂが図５，６において右方向に駆動されると、絞り駆動レバー３２５は、レバー当接部３２５ａに当接した絞り連動レバー３２３とともにバネ３２８によって絞り開放方向（図示反時計方向）に復帰される。
【００１２】
ミラーアップレバー３２４は、メインミラー３２１をミラーアップおよびミラーダウンさせるとともに、後述するようにシャッターチャージレバー３４１を駆動するレバーであり、ミラー駆動端３２４ａと可動鉄心係止端３２４ｂとを有する。ミラーアップレバー３２４は、ミラーアップバネ３３１によって図４〜６において図示時計方向に付勢されるとともに、後述するシーケンス駆動レバー２１８の先端部２１８ｂによって図示時計方向への回動位置が規制されている。シーケンス駆動レバー２１８の先端部２１８ｂが図４において左方向に駆動されると、ミラーアップレバー３２４は、ミラーアップバネ３３１によって図示時計方向に旋回して、ミラー駆動端３２４ａでミラー駆動ピン３２１ｂを駆動して、メインミラー３２１をミラーダウン位置から反時計方向に跳ね上げる。シーケンス駆動レバー２１８の先端部２１８ｂが図６において右方向に駆動されると、ミラーアップレバー３２４は、ミラーアップバネ３３１の付勢力に抗して、シーケンス駆動レバー２１８の先端部２１８ｂによって図示反時計方向に旋回される。ミラーアップレバー３２４の図示反時計方向の旋回によって、ミラーダウンバネ３２２がミラー駆動ピン３２１ｂを下方に駆動して、メインミラー３２１をミラーダウン位置まで図示時計方向に駆動する。
【００１３】
シャッターチャージレバー３４１は、後述するシャッタ機構４００に設けられた開閉レバー４２０を駆動するレバーであり、シャッタ駆動端３４１ａを有する。シャッターチャージレバー３４１にはコンビネーションマグネット３５０が取り付けられている。コンビネーションマグネット３５０は、永久磁石３５１と、励磁コイル３５２と、可動鉄心３５３とを有し、可動鉄心３５３が励磁コイル３５２の巻かれた励磁コイルボビンの貫通孔に挿入されている。
【００１４】
貫通孔に挿入された可動鉄心３５３の一端は、永久磁石３５１の磁力で吸着される。励磁コイル３５２に対してある一方向に電圧が印加されると、永久磁石３５１による磁界（磁力）を相殺するような磁界が発生し、吸着された可動鉄心３５３は離脱可能に釈放される。可動鉄心３５３が釈放されて永久磁石３５１から所定距離以上離間すると、励磁コイル３５２が非励磁でも可動鉄心３５３は永久磁石３５１から離間したままとなる。可動鉄心３５３の他端には、円周方向の溝である係合溝部３５３ａが設けられている。この係合溝部３５３ａは、ミラーアップレバー３２４の可動鉄心係止端３２４ｂと係合している。
【００１５】
図４〜６に示すように、ミラーボックス３００の側面にはピン３１１が突設されており、シャッターチャージレバー３４１の反時計方への旋回角度位置を規制している。図４に示すようにシーケンス駆動レバー２１８の先端部２１８ｂによって、ミラーアップレバー３２４が図示反時計方向に旋回されると、可動鉄心係止端３２４ｂと係合した可動鉄心３５３が永久磁石３５１に吸着される。すなわち、図４に示すように、ミラーアップレバー３２４が図示反時計方向に旋回されている場合、コンビネーションマグネット３５０の下方端部はピン３１１と当接し、可動鉄心３５３は永久磁石３５１に吸着される。
【００１６】
コンビネーションマグネット３５０が可動鉄心３５３を吸着した状態では、図４，５に示すように、シャッターチャージレバー３４１とミラーアップレバー３２４とは、コンビネーションマグネット３５０によって係合されて一体的に旋回駆動される。したがって、シーケンス駆動レバー２１８の先端部２１８ｂが図４において左方向に駆動されると、ミラーアップレバー３２４とシャッターチャージレバー３４１とが、ミラーアップバネ３３１によって図示時計方向に旋回される。
【００１７】
ミラーアップレバー３２４とシャッターチャージレバー３４１とが、ミラーアップバネ３３１によって図示時計方向に旋回されると、上述のように、ミラー駆動端３２４ａでミラー駆動ピン３２１ｂを駆動して、メインミラー３２１をミラーダウン位置から反時計方向に跳ね上げる（図４，５）。このとき、ミラーアップレバー３２４とともに旋回されたシャッターチャージレバー３４１は、シャッタ駆動端３４１ａでシャッタ機構４００に設けられた開閉レバー４２０のシャッタ駆動ボス４２１を図示上方に駆動して、後述するようにシャッタ羽根を開く。なお、永久磁石３５１が可動鉄心３５３を吸着する力は、ミラーアップレバー３２４とともに旋回されたシャッターチャージレバー３４１がシャッタ駆動ボス４２１を駆動しても永久磁石３５１と可動鉄心３５３とが離間しないように設定されている。
【００１８】
図５に示すように、シャッターチャージレバー３４１がシャッタ駆動ボス４２１を図示上方に駆動した状態で、励磁コイル３５２に対してある一方向に電圧が印加されると、永久磁石３５１に吸着された可動鉄心３５３が離脱可能に釈放されるので、シャッターチャージレバー３４１はミラーアップレバー３２４に対して図示反時計方向に旋回可能な状態となる。後述するように、シャッタ駆動ボス４２１には、図示下方への付勢力が作用しているため、シャッタ駆動ボス４２１がシャッタ駆動端３４１ａを下方に押圧して、図６に示すようにシャッターチャージレバー３４１を図示反時計方向に旋回させる。
【００１９】
−−−絞り制御機構２００−−−
図７は、絞り機構２００を示す斜視図である。絞り機構２００は、各部品が配設された制御基板２３０と駆動基板２９０とから構成される。制御基板２３０には、絞り値を制御するための各部品が配設されている。駆動基板２９０には、上述の制御基板２３０と、絞り機構に係る各部品と、伝達レバー２０５と、リセットレバー２０８と、シーケンス駆動レバー２１８と、カム２２０と、蓋基板２５０とが配設されている。
【００２０】
伝達レバー２０５は、絞り機構２００で撮影レンズ２の絞り値を検出するために絞り連動レバー３２３の駆動量を絞り機構２００に伝達するレバーであり、駆動基板２９０に設けられた軸に回動可能に軸支され、その下端２０５ａが絞り連動レバー３２３のレバー当接部３２３ｃと当接している。絞り機構２００による撮影レンズ２の絞り値検出については説明を省略する。
【００２１】
リセットレバー２０８は、駆動基板２９０に設けられた軸に回動可能に軸支されたレバーであり、後述するシーケンス駆動レバー２１８によって駆動されて、絞り制御機構２００をリセットするが、詳細な説明は省略する。
【００２２】
シーケンス駆動レバー２１８は、駆動基板２９０の下端側に設けられた軸２９５に対して回動可能に軸支される。図８（ａ），（ｂ）は、撮影開始前のシーケンス駆動レバー２１８とカム２２０の回転位相との関係を示す図である。また、図９（ａ），（ｂ）は、レリーズ後のシーケンス駆動レバー２１８とカム２２０の回転位相との関係を示す図である。図８（ａ）および図９（ａ）は、シーケンス駆動レバー２１８をカメラボディ１の下方から見た図（図５の矢印Ａ方向から見た図）であり、図８（ｂ）および図９（ｂ）は、シーケンス駆動レバー２１８をカメラボディ１の上方から見た図（図７の矢印Ｂ方向から見た図）である。
【００２３】
シーケンス駆動レバー２１８には２つのローラ２１９ａ，２１９ｂが設けられている。カム２２０の回転に応じてローラ２１９ａ，２１９ｂが押圧されると、シーケンス駆動レバー２１８は軸２９５を中心に揺動する。シーケンス駆動レバー２１８には、駆動基板２９０の上方に向かって直立するように設けられた腕２１８ｄ（図７参照）が設けられている。したがって、カム２２０の動きは、シーケンス駆動レバー２１８の動きとして、腕２１８ｄの先端部２１８ｂからミラーアップレバー３２４および絞り駆動レバー３２５に伝達される。また、シーケンス駆動レバー２１８には、突起２１８ｃが設けられている。この突起２１８ｃは、上述したリセットレバー２０８の突起部２０８ｄと係合して、リセットレバー２０８を回動させることで、絞り制御機構２００をリセットする。
【００２４】
カム２２０は、駆動基板２９０の軸２９４に回動可能に軸支され、蓋基板２５０により抜け止めがなされている。カム２２０には、不図示のギヤと噛合するギヤ部２２１と、カム面２２２を形成するカム部２２３とが一体に形成されている（図７参照）。駆動モータ１２２の回転は不図示のギヤを介してカム２２０に伝達される（図２，３参照）。なお、駆動モータ１２２は、制御回路１０１によって制御される。
【００２５】
−−−シャッタ機構４００−−−
図１０（ａ），（ｂ）および図１１（ａ），（ｂ）は、シャッタ機構４００を示す図である。シャッタ機構４００は、ＣＣＤ５を遮光する閉状態（図１０（ａ），（ｂ））と、ＣＣＤ５に被写体像を導く開状態（図１１（ａ），（ｂ））との間で開閉動作を行う一組のシャッタ羽根を有する機構である。図１０（ａ）および図１１（ａ）は、シャッタ機構４００を正面から見た正面図であり、図１０（ｂ）および図１１（ｂ）は、後述するシャッタカバー板４９０を外したシャッタ機構４００の内部を背面から見た図である。シャッタ機構４００は、ミラーボックス３００の背面に取り付けられる。
【００２６】
シャッタ機構４００は、台板４１０と、開閉レバー４２０と、羽根駆動レバー４３０と、羽根主アーム４４０と、羽根従動アーム４５０と、シャッタ羽根４６０と、シャッタカバー板４９０とを備えている。台板４１０は、シャッタ機構４００を構成する各部品が配設される基板であり、ＣＣＤ５に被写体像を導く開口４１１が設けられている。台板４１０の正面側の表面には、開閉レバー回転軸４１２と、羽根駆動レバー回転軸４１３とが植設されている。台板４１０の背面側の表面には、羽根主アーム回転軸４１４と、羽根従動アーム回転軸４１５とが植設されている。台板４１０の背面には、台板４１０の開口４１１と同じ大きさの開口４９１を有するシャッタカバー板４９０が配設される（図３参照）。
【００２７】
開閉レバー４２０は、開閉レバー回転軸４１２に軸支され、開閉レバー戻しバネ４０１によって図１０（ａ）および図１１（ａ）において時計方向に付勢されている。開閉レバー４２０の一端の正面には、シャッタ駆動ボス４２１が立設されている。開閉レバー４２０の他端には、ギヤが刻設されたギヤ部４２２が設けられている。ギヤ部４２２は、後述する羽根駆動レバー４３０に設けられたギヤ部と噛合する。
【００２８】
シャッタ駆動ボス４２１の長さおよび位置は、シャッタ機構４００がミラーボックス３００に取り付けられると、回動されたシャッターチャージレバー３４１のシャッタ駆動端３４１ａと当接するように設定されている。開閉レバー４２０は、回動されたシャッターチャージレバー３４１のシャッタ駆動端３４１ａによってシャッタ駆動ボス４２１が上方に押圧されると、開閉レバー戻しバネ４０１の付勢力に抗して図１０（ａ）および図１１（ａ）において反時計方向に旋回される。
【００２９】
羽根駆動レバー４３０は、羽根駆動レバー回転軸４１３に軸支され、ギヤが刻設されたギヤ部４３１と、回動中心（羽根駆動レバー回転軸４１３）から半径方向外側に向かって延在する腕４３２と、腕４３２の背面に植設された羽根駆動ピン４３３とを有する。上述のように、羽根駆動レバー４３０のギヤ部４３１と、開閉レバー４２０のギヤ部４２２とは噛合しているので、開閉レバー４２０と羽根駆動レバー４３０とは、連動して回動する。羽根駆動ピン４３３の先端は、台板４１０に設けられた円弧状の長孔４１６を貫通して、後述する羽根主アーム４４０の嵌合孔４４１に嵌合する。羽根駆動ピン４３３が長孔４１６を貫通しているので、羽根駆動レバー４３０および開閉レバー４２０の回動範囲は、羽根駆動ピン４３３の可動範囲を規制する長孔４１６の円弧長さによって規制される。
【００３０】
台板４１０の背面には、羽根主アーム回転軸４１４に軸支された羽根主アーム４４０と、羽根従動アーム回転軸４１５に軸支された羽根従動アーム４５０と、羽根主アーム４４０および羽根従動アーム４５０によって連動して駆動される４枚のシャッタ羽根４６０とが設けられている。すなわち、羽根主アーム４４０と羽根従動アーム４５０とによって構成される周知のアーム機構によって４枚のシャッタ羽根４６０が連動して駆動されて、台板４１０の開口４１１およびシャッタカバー板４９０の開口４９１を遮蔽および開放するように構成されている。羽根主アーム４４０には、嵌合孔４４１が設けられており、嵌合孔４４１に嵌合する羽根駆動ピン４３３が長孔４１６に沿って駆動されると、羽根主アーム４４０が羽根主アーム回転軸４１４を中心に旋回される。
【００３１】
嵌合孔４４１に嵌合する羽根駆動ピン４３３が長孔４１６に沿って上方に駆動されると、各アーム４４０，４５０は図１０（ａ）において左旋（図１０（ｂ）において右旋）されて、シャッタ羽根４６０を上方に引き上げて開口４１１，４９１を遮蔽する。嵌合孔４４１に嵌合する羽根駆動ピン４３３が長孔４１６に沿って下方に駆動されると、各アーム４４０，４５０は図１０（ａ）において右旋（図１０（ｂ）において左旋）されて、シャッタ羽根４６０を下方に引き下げて開口４１１，４９１を開放する。
【００３２】
開閉レバー戻しバネ４０１の付勢力は、開閉レバー４２０を図１０（ａ）および図１１（ａ）において時計方向に付勢しているので、開閉レバー４２０と噛合する羽根駆動レバー４３０を図１０（ａ）および図１１（ａ）において反時計方向に付勢する。したがって、開閉レバー戻しバネ４０１の付勢力によって羽根駆動ピン４３３が長孔４１６に沿って上方に駆動される。これにより、シャッタ羽根４６０が上方に引き上げられて開口４１１，４９１が遮蔽される。なお、羽根駆動ピン４３３の上方への移動は、図１０（ａ），（ｂ）に示すように、羽根駆動ピン４３３が長孔４１６の上方端部４１６ａに当接することによって規制される。羽根駆動ピン４３３が上方端部４１６ａに当接したとき、シャッタ羽根４６０は開口４１１，４９１を遮蔽した状態（図１０（ａ），（ｂ））となる。
【００３３】
回動されたシャッターチャージレバー３４１のシャッタ駆動端３４１ａによってシャッタ駆動ボス４２１が押圧されて、開閉レバー４２０が開閉レバー戻しバネ４０１の付勢力に抗して図１０（ａ）および図１１（ａ）において反時計方向に旋回されると、開閉レバー４２０と噛合する羽根駆動レバー４３０は、図１０（ａ）および図１１（ａ）において時計方向に旋回される。これにより、羽根駆動ピン４３３が長孔４１６に沿って下方に駆動されるので、各アーム４４０，４５０は図１０（ａ）において右旋（図１０（ｂ）において左旋）されて、シャッタ羽根４６０が下方に引き下げられる。なお、羽根駆動ピン４３３は、長孔４１６の下方端部４１６ｂに当接するまで長孔４１６を移動可能であるが、羽根駆動ピン４３３が下方端部４１６ｂに当接する直前に、４枚のシャッタ羽根４６０はいずれも開口４１１，４９１の下端より引き下げられて、図１１（ａ），（ｂ）に示すように、開口４１１，４９１を開放する。
【００３４】
すなわち、本実施の形態のシャッタ機構４００は、シャッターチャージレバー３４１の旋回によって、次のように動作する。なお、シャッターチャージレバー３４１の角度位置の変化については別途後述する。
（１）  シャッターチャージレバー３４１の角度位置がシャッタ駆動端３４１ａでシャッタ駆動ボス４２１を押圧しない角度位置である場合、シャッタ機構４００は、開閉レバー戻しバネ４０１の付勢力によって各レバー４２０，４３０が旋回されて、シャッタ羽根４６０で開口４１１，４９１を遮蔽する（図１０（ａ），（ｂ））。
（２）  シャッターチャージレバー３４１が旋回されてシャッタ駆動端３４１ａでシャッタ駆動ボス４２１を上方に押圧する場合、開閉レバー４２０が開閉レバー戻しバネ４０１の付勢力に抗して旋回されるので、シャッタ機構４００は、シャッタ羽根４６０が下方に引き下げられる。
（３）  シャッタ駆動端３４１ａによるシャッタ駆動ボス４２１の押圧が進行すると、シャッタ機構４００は、シャッタ羽根４６０が開口４１１，４９１の下端よりも下方に引き下げられて、図１１（ａ），（ｂ）に示すように、開口４１１，４９１を開放する。
【００３５】
本実施の形態のシャッタ機構４００では、図１０（ａ），（ｂ）、図１１（ａ），（ｂ）に示すような角度位置で各レバー４２０，４３０および各アーム４４０，４５０が配設されているので、シャッタ駆動ボス４２１は、開閉レバー回転軸４１２を中心とした所定角度範囲内で略上下方向に移動可能である。なお、シャッタ駆動ボス４２１が移動可能な角度範囲は、上述のように、羽根駆動ピン４３３の可動範囲を規制する長孔４１６の円弧長さによって規制される。
【００３６】
上述した構造により、開閉レバー４２０のシャッタ駆動ボス４２１の略上下方向の動きに追従してシャッタ羽根４６０が開閉動作する。すなわち、本実施の形態の電子カメラでは、シャッターチャージレバー３４１のシャッタ駆動端３４１ａからの駆動力、すなわちミラーアップバネ３３１の付勢力が、シャッタ羽根４６０に伝達されてシャッタ羽根４６０を開動作させるとともに、シャッタ羽根４６０を閉動作させる駆動力である開閉レバー戻しバネ４０１をチャージするように構成されている。
【００３７】
シャッタ機構４００では、シャッターチャージレバー３４１のシャッタ駆動端３４１ａが開閉レバー４２０のシャッタ駆動ボス４２１を押圧して駆動する駆動量を拡大して、シャッタ４６０を開閉するように構成されている。すなわち、開閉レバー４２０のギヤ部４２２から回動中心である開閉レバー回転軸４１２までの距離は、シャッタ駆動ボス４２１から開閉レバー回転軸４１２までの距離より長くされ、羽根駆動ピン４３３から回動中心である羽根駆動レバー回転軸４１３までの距離は、羽根駆動レバー４３０のギヤ部４３１から羽根駆動レバー回転軸４１３までの距離より長くされている。したがって、シャッタ駆動端３４１ａのわずかな駆動量で、羽根駆動ピン４３３を長孔４１６に沿って大きく移動させることができる。
【００３８】
−−−撮影時の動作説明−−−
本実施の形態の電子カメラで撮影する際の各部の動作について説明する。図８（ａ）は、撮影開始前のシーケンス駆動レバー２１８とカム２２０の状態を示す。カム面２２２がローラ２１９ａを押圧することにより、シーケンス駆動レバー２１８が左回転方向に駆動されて停止している。カメラボディ１を側面から見た場合、図４に示すように、シーケンス駆動レバー２１８の先端部２１８ｂはカメラボディ１の正面に向かって駆動されて停止している。
【００３９】
ミラーアップレバー３２４は、先端部２１８ｂによってミラーアップバネ３３１の付勢力に抗して図４において左旋される。このとき、ミラー駆動端３２４ａはメインミラー３２１のミラー駆動ピン３２１ｂから離間し、シャッタ駆動端３４１ａは開閉レバー４２０のシャッタ駆動ボス４２１と離間している。したがって、メインミラー３２１はミラーダウン位置となり、シャッタ羽根４６０は開口４１１，４９１を遮蔽した状態（図１０（ａ），（ｂ））となる。
【００４０】
絞り駆動レバー３２５は、レバー当接部３２５ａに当接した絞り連動レバー３２３とともにバネ３２８によって図４において左旋されている。したがって、撮影開始前、レンズ絞りは開放状態である。
【００４１】
レリーズボタン４が押圧されて不図示のレリーズスイッチからレリーズ信号が入力されると、制御回路１０１は駆動モータ１２２を駆動する。駆動モータ１２２の回転により、カム２２０は、略１８０度左旋して図８（ａ）の状態から図９（ａ）の状態となる。この状態で駆動モータ１２２は一旦停止する。カム面２２２がローラ２１９ｂを押圧してシーケンス駆動レバー２１８を右回転方向に駆動する。
【００４２】
このとき、シーケンス駆動レバー２１８の先端部２１８ｂは、図４から図５の状態となるようにカメラボディ１の正面側から背面側に移動して、図４において絞り駆動レバー３２５を右旋させる。絞り駆動レバー３２５が右旋されると、絞り連動レバー３２３は、バネ３２７の付勢力によって旋回を開始して、レンズ絞りを開放状態から絞り込む。
【００４３】
ミラーアップレバー３２４は、先端部２１８ｂが背面側に移動すると、ミラーアップバネ３３１の付勢力によって、図４において右旋される。このとき、コンビネーションマグネット３５０は可動鉄心３５３を吸着しているので、シャッターチャージレバー３４１はミラーアップレバー３２４とともに一体的に右旋される。ミラーアップレバー３２４およびシャッターチャージレバー３４１が右旋されると、はじめに、ミラー駆動端３２４ａがメインミラー３２１のミラー駆動ピン３２１ｂに当接して、メインミラー３２１をミラーダウン位置から反時計方向へ回動させる。ミラーアップレバー３２４の右旋が進行して、すなわち、ミラーアップ動作が進行して、メインミラー３２１がミラーアップ位置の直前まで回動されたときに、シャッタ駆動端３４１ａは開閉レバー４２０のシャッタ駆動ボス４２１と当接する。さらにミラーアップレバー３２４およびシャッターチャージレバー３４１の右旋が進行すると、シャッタ駆動端３４１ａによってシャッタ駆動ボス４２１が上方に押圧されて、上述のように、シャッタ羽根４６０が下方に引き下げられる。
【００４４】
ミラーアップレバー３２４の右旋によってミラーアップが完了した状態、すなわち、図５に示したレリーズ後の状態では、シャッタ羽根４６０が開口４１１，４９１の下端よりも下方に引き下げられて、図１１（ａ），（ｂ）に示すように、開口４１１，４９１が開放される。
【００４５】
上述のレリーズ動作の後、制御回路１０１で制御される電子シャッタによってＣＣＤ５へ電荷の蓄積が制御されることで撮像が行われる。ＣＣＤ５への電荷蓄積の最中は、駆動モータ１２２が停止しているので、カム２２０およびシーケンス駆動レバー２１８も停止している。そのため、図５に示すように、ミラーアップレバー３２４は、ミラーアップバネ３３１の付勢力で右旋した状態で停止し、シャッターチャージレバー３４１は、シャッタ駆動端３４１ａによってシャッタ駆動ボス４２１を上方に押圧したまま停止している。ＣＣＤ５への電荷蓄積が終了して撮像が終了すると、これに引き続き、各部のリセット動作が行われる。以下、リセット動作について説明する。
【００４６】
リセット動作では、制御回路１０１から駆動モータ１２２の駆動信号と、コンビネーションマグネット３５０の励磁信号とが略同時に出力される。制御回路１０１からの励磁信号によって励磁コイル３５２が励磁されると、永久磁石３５１が可動鉄心３５３を釈放する。また、制御回路１０１からの駆動信号によって、駆動モータ１２２が再び駆動されると、後述するようにシーケンス駆動レバー２１８が駆動されてミラーアップレバー３２４が左旋を開始する。
【００４７】
制御回路１０１から励磁信号が出力されてからコンビネーションマグネット３５０の永久磁石３５１が可動鉄心３５３を釈放するまでの時間は、制御回路１０１から駆動モータ１２２の駆動信号が出力されてからシーケンス駆動レバー２１８が駆動を開始するまでの時間よりも短い。そのため、シーケンス駆動レバー２１８が駆動されてミラーアップレバー３２４が左旋を開始する前に、開閉レバー戻しバネ４０１の付勢力によってシャッタ駆動ボス４２１がシャッターチャージレバー３４１のシャッタ駆動端３４１ａを下方に押し下げるとともに、シャッタ羽根４６０が開口４１１，４９１を遮蔽する。すなわち、図６に示すように、シーケンス駆動レバー２１８が左旋を開始する前に、コンビネーションマグネット３５０の可動鉄心３５３が釈放されて、シャッターチャージレバー３４１が左旋される。
【００４８】
制御回路１０１からの駆動信号によって、駆動モータ１２２が再び駆動されると、図９（ａ）の状態からカム２２０が略１８０度左旋して図８（ａ）の状態に戻って停止する。カム面２２２がローラ２１９ａを押圧することにより、シーケンス駆動レバー２１８は左回転方向に駆動されている。このとき、先端部２１８ｂは、図６から図４の状態となるようにカメラボディ１の背面側から正面側に移動して、図６においてミラーアップレバー３２４を左旋させる。
【００４９】
ミラーアップレバー３２４の左旋が開始されると、メインミラー３２１は、一端がミラーアップレバー３２４に係止されたミラーダウンバネ３２２の他端から受ける付勢力によって図６において右旋され、図４に示したミラーダウン位置へ戻る。さらにミラーアップレバー３２４の左旋が進行すると、ミラーダウンが完了して、メインミラー３２１の右旋が停止し、ミラー駆動端３２４ａがミラー駆動ピン３２１ｂから離間する。
【００５０】
ミラーアップレバー３２４の左旋によって可動鉄心３５３が押し下げられるが、ピン３１１によりシャッターチャージレバー３４１の左旋が規制されているので、可動鉄心３５３は永久磁石３５１に向かって押し下げられる。図４に示すように、ミラーアップレバー３２４の左旋が完了すると、可動鉄心３５３が再び永久磁石３５１に吸着される。
【００５１】
リセット動作が終了すると、バネ３２８によって絞り連動レバー３２３および絞り駆動レバー３２５も左旋した状態に戻り、レンズ絞りは開放状態となる。
【００５２】
上述した本発明による電子カメラでは、次の作用効果を奏する。
（１）  ミラーアップの駆動力であるミラーアップバネ３３１の付勢力でミラーアップレバー３２４およびシャッターチャージレバー３４１を回動させることで開閉レバー４２０のシャッタ駆動ボス４２１を駆動して、シャッタ羽根４６０を開動作させるように構成した。そして、ミラーアップレバー３２４の左旋開始前に、コンビネーションマグネット３５０の可動鉄心３５３を釈放して、シャッターチャージレバー３４１を左旋可能とすることで、開閉レバー戻しバネ４０１の付勢力でシャッタ羽根４６０を開動作させるように構成した。これにより、シャッタを所定のタイミングで駆動するために複雑な駆動機構を用いる必要がないので、シャッタ羽根４６０の駆動に要する部品を大幅に削減でき、コストおよび小型化の際のスペースの面で優れた電子カメラ、シャッタ機構、およびミラー駆動機構を実現できる。
【００５３】
（２）  ミラーアップの駆動力であるミラーアップバネ３３１の付勢力でミラーアップレバー３２４およびシャッターチャージレバー３４１を回動させることで、開閉レバー４２０のシャッタ駆動ボス４２１を上方に押圧してシャッタ羽根４６０を開動作させるとともに、シャッタ羽根４６０の閉動作の駆動源である開閉レバー戻しバネ４０１をチャージするように構成した。これにより、単純な構造で開閉レバー戻しバネ４０１をチャージできるので、シャッタ機構の故障の可能性を大幅に低減させることができ、電子カメラの信頼性を高めることができる。
【００５４】
（３）  ＣＣＤ５への電荷を蓄積しているときには、シャッターチャージレバー３４１は、シャッタ駆動端３４１ａでシャッタ駆動ボス４２１を上方に押圧したまま停止することで、シャッタ羽根４６０を閉動作させるチャージ力を係止するように構成した。これにより、バネの付勢力に抗して駆動されたレバーを係止するために別の機構を設ける必要がなくなるので、簡単な構造でシャッタ機構を構成でき、コストおよび小型化の際のスペースの面で有利である。
【００５５】
（４）  コンビネーションマグネット３５０を用いることで、制御回路１０１から駆動モータ１２２の駆動信号と、コンビネーションマグネット３５０の励磁信号とが略同時に出力されても、ミラーアップレバー３２４の左旋開始前にシャッターチャージレバー３４１が左旋可能となるように構成した。これにより、ミラーアップレバー３２４の左旋開始前にシャッタ羽根４６０の閉動作を開始できるので、ＣＣＤ５への電荷蓄積が終了して撮像が終了した直後に迅速に開口４１１，４９１を遮蔽できる。したがって、電荷蓄積時以外にＣＣＤ５が被写体光に暴露される時間を極力短くできるので、スミアの発生など、画質劣化を積極的に防止できるので、被写体像を高画質で記録できる。
【００５６】
（５）  シャッタ羽根４６０の開閉動作が開閉レバー４２０に設けられたシャッタ駆動ボス４２１の略上下方向の動きに追従するよう構成することで、シャッターチャージレバー３４１のシャッタ駆動端３４１ａからの駆動力が、シャッタ羽根４６０に直接伝達するように構成した。これにより、シャッターチャージレバー３４１のシャッタ駆動端３４１ａの単純な動きでシャッタ羽根４６０を駆動できるので、シャッタ羽根４６０を駆動する動力をシャッタ機構４００に供給するミラー側の機構も複雑化することがない。したがって、従来のミラー側の機構の設計変更が少なく、開発費用を低減できる。
【００５７】
（６）  シャッターチャージレバー３４１のシャッタ駆動端３４１ａが開閉レバー４２０のシャッタ駆動ボス４２１を押圧して駆動する駆動量を拡大して、シャッタ４６０を開閉するように構成した。これにより、ミラーアップの駆動力を用いてシャッタ羽根４６０を開動作させることが容易となるので、設計が容易である。
【００５８】
（７）  ミラーアップレバー３２４およびシャッターチャージレバー３４１によってメインミラー３２１のミラー駆動と、シャッタ羽根４６０の開閉動作を行うように構成した。これにより、シャッターチャージレバー３４１やコンビネーションマグネット３５０の追加など、若干設計を変更するだけで、従来から用いられているミラー側の機構を用いることができるので、コストメリットが大きい。
【００５９】
−−−変形例−−−
（１）  上述の説明では、シャッターチャージレバー３４１にコンビネーションマグネット３５０が取り付けられ、ミラーアップレバー３２４の可動鉄心係止端３２４ｂに可動鉄心３５３の係合溝部３５３ａが係止されているが、本発明はこれに限定されない。たとえば、上述の説明とは逆に、ミラーアップレバー３２４にコンビネーションマグネット３５０が取り付けられ、シャッターチャージレバー３４１側に可動鉄心３５３の係合溝部３５３ａが係止されるように構成してもよい。なお、シャッタ羽根４６０が閉動作する際のレスポンスの観点から、シャッターチャージレバー３４１側の慣性モーメントは小さいことが望ましい。
【００６０】
（２）  上述の説明では、コンビネーションマグネット３５０によってシャッターチャージレバー３４１をミラーアップレバー３２４に係止することで、ミラーアップレバー３２４とシャッターチャージレバー３４１とを一体的に回動可能に構成したが、本発明はこれに限定されない。たとえば、コンビネーションマグネット３５０に限らず、他のアクチュエータを用いることで、シャッターチャージレバー３４１をミラーアップレバー３２４に係止するとともに、このアクチュエータを起動することで、シャッターチャージレバー３４１とミラーアップレバー３２４との係止を解除するように構成してもよい。
【００６１】
（３）  上述の説明では、リセット動作開始時にコンビネーションマグネット３５０の励磁コイル３５２に通電して可動鉄心３５３を釈放するように構成しているが、本発明はこれに限定されない。たとえば、シャッタ羽根４６０を開動作させる際には励磁コイルに通電することでシャッターチャージレバー３４１とミラーアップレバー３２４とを係止するように可動鉄心を駆動し、シャッタ羽根４６０を閉動作させる際には励磁コイルへの通電を停止することで可動鉄心を釈放してシャッターチャージレバー３４１とミラーアップレバー３２４との係止を解除するように構成してもよい。
【００６２】
（４）  上述の説明では、コンビネーションマグネット３５０の可動鉄心３５３が永久磁石３５１から釈放されることでシャッターチャージレバー３４１とミラーアップレバー３２４との係止を解除しているが、本発明はこれに限定されない。たとえば、コンビネーションマグネット３５０の代わりに、可動鉄心３５３に相当するプランジャ状部材を突出および縮退するように駆動可能なアクチュエータを配設してもよい。このようなアクチュエータをコンビネーションマグネット３５０の代わりに用いることで、プランジャ状部材を縮退させた状態でミラーアップレバー３２４とシャッターチャージレバー３４１とが一体的に回動可能となる。また、プランジャ状部材を突出させることで、ミラーアップレバー３２４に対して、シャッターチャージレバー３４１を左旋できる。
【００６３】
このように構成した場合、プランジャ状部材が突出する駆動力でシャッタ駆動ボス４２１を下方に駆動することでシャッタ羽根４６０を閉動作させるように構成してもよい。この場合には、プランジャ状部材が突出する駆動力でシャッタ羽根４６０を閉じることができるので、開閉レバー戻しバネ４０１は不要となる。
【００６４】
（５）  上述の説明では、リセット動作において、制御回路１０１から駆動モータ１２２の駆動信号と、コンビネーションマグネット３５０の励磁信号とが略同時に出力されているが、本発明はこれに限定されない。ＣＣＤ５への電荷蓄積が終了して撮像が終了した直後に迅速に開口４１１，４９１を遮蔽できればよいので、たとえば、メインミラー３２１がミラーダウン位置に向かって動き始める前にシャッタ羽根４６０が開口４１１，４９１を遮蔽する方向へ動き始めるように構成されていればよい。したがって、メインミラー３２１がミラーダウン位置に向かって動き始める前にシャッタ羽根４６０が開口４１１，４９１を遮蔽する方向へ動き始めるのであれば、駆動モータ１２２の駆動信号とコンビネーションマグネット３５０の励磁信号が、それぞれ異なるタイミングで出力されてもよい。
【００６５】
上述のように、制御回路１０１から励磁信号が出力されてからコンビネーションマグネット３５０の永久磁石３５１が可動鉄心３５３を釈放するまでの時間は、制御回路１０１から駆動モータ１２２の駆動信号が出力されてからシーケンス駆動レバー２１８が駆動を開始するまでの時間よりも短い。したがって、駆動モータ１２２の駆動信号が出力されてからシーケンス駆動レバー２１８が駆動を開始するまでの遅れを考慮して、制御回路１０１から駆動モータ１２２の駆動信号を先に出力するように構成してもよい。また、電荷蓄積時以外にＣＣＤ５が被写体光に暴露される時間を極力短くすることで画質劣化を極力防止するために、制御回路１０１からコンビネーションマグネット３５０の励磁信号を先に出力するように構成してもよい。いずれの駆動信号が先に出力されても、上述した実施の形態の作用効果を奏する。
（６）  上述した各実施の形態および変形例は、それぞれ組み合わせてもよい。
【００６６】
以上の実施の形態および変形例において、たとえば、ミラーはメインミラー３２１に、駆動源はミラーアップバネ３３１または駆動モータ１２２に、ミラー駆動機構はミラーアップレバー３２４に、起動機構はコンビネーションマグネット３５０にそれぞれ対応する。シャッタ駆動機構は、開閉レバー４２０と、羽根駆動レバー４３０と、羽根主アーム４４０と、羽根従動アーム４５０とによって実現される。なお、以上の説明はあくまで一例であり、発明を解釈する際、上記の実施形態の記載事項と特許請求の範囲の記載事項の対応関係になんら限定も拘束もされない。
【図面の簡単な説明】
【００６７】
【図１】本発明による電子カメラの斜視図である。
【図２】ミラーボックス３００、絞り機構２００、およびシャッタ機構４００を示す斜視図である。
【図３】ミラーボックス３００、絞り機構２００、およびシャッタ機構４００を示す斜視図である。
【図４】ミラーボックス３００およびシャッタ機構４００を側面から見た図であり、撮影開始前の状態を示す図である。
【図５】ミラーボックス３００およびシャッタ機構４００を側面から見た図であり、レリーズ後の状態を示す図である。
【図６】ミラーボックス３００およびシャッタ機構４００を側面から見た図であり、リセット動作開始直後の状態を示す図である。
【図７】絞り機構２００を示す斜視図である。
【図８】撮影開始前のシーケンス駆動レバー２１８とカム２２０の回転位相との関係を示す図であり、（ａ）は、シーケンス駆動レバー２１８をカメラボディ１の下方から見た図（図５の矢印Ａ方向から見た図）であり、（ｂ）は、シーケンス駆動レバー２１８をカメラボディ１の上方から見た図（図５の矢印Ｂ方向から見た図）である。
【図９】レリーズ後のシーケンス駆動レバー２１８とカム２２０の回転位相との関係を示す図であり、（ａ）は、シーケンス駆動レバー２１８をカメラボディ１の下方から見た図（図５の矢印Ａ方向から見た図）であり、（ｂ）は、シーケンス駆動レバー２１８をカメラボディ１の上方から見た図（図５の矢印Ｂ方向から見た図）である。
【図１０】シャッタ機構４００を示す図であり、（ａ）は、シャッタ機構４００を正面から見た正面図であり、（ｂ）は、後述するシャッタカバー板４９０を外したシャッタ機構４００の内部を背面から見た図である。
【図１１】シャッタ機構４００を示す図であり、（ａ）は、シャッタ機構４００を正面から見た正面図であり、（ｂ）は、後述するシャッタカバー板４９０を外したシャッタ機構４００の内部を背面から見た図である。
【符号の説明】
【００６８】
１  カメラボディ                                ２  撮影レンズ
５  ＣＣＤ                                      １０１  制御回路
１２２  駆動モータ                              ２００  絞り制御機構
２１８  シーケンス駆動レバー                    ２１８ｂ  先端部
２２０  カム                                    ３００  ミラーボックス
３０１  撮影光路                                ３２１  メインミラー
３２１ｂ  ミラー駆動ピン                        ３２４  ミラーアップレバー
３２４ａ  ミラー駆動端                          ３３１  ミラーアップバネ
３４１  シャッターチャージレバー                ３４１ａ  シャッタ駆動端
３５０  コンビネーションマグネット              ４００  シャッタ機構
４０１  開閉レバー戻しバネ                      ４１１，４９１  開口
４２０  開閉レバー                              ４２１  シャッタ駆動ボス
４３０  羽根駆動レバー                          ４４０  羽根主アーム
４５０  羽根従動アーム                          ４６０  シャッタ羽根
【図１】
2006208704.tif 000003
【図２】
2006208704.tif 000004
【図３】
2006208704.tif 000005
【図４】
2006208704.tif 000006
【図５】
2006208704.tif 000007
【図６】
2006208704.tif 000008
【図７】
2006208704.tif 000009
【図８】
2006208704.tif 000010
【図９】
2006208704.tif 000011
【図１０】
2006208704.tif 000012
【図１１】
2006208704.tif 000013